(57)【特許請求の範囲】
【請求項１】
表面デッキボードと裏面デッキボードとを有し、表面デッキボードと裏面デッキボードとが、隅部に位置する隅桁と該隅桁の中間に位置する中間桁と中央に位置する中央桁とにより連結されている合成樹脂製パレットにおいて、フォーク差し込み口の底部が、垂直断面形状が縦長の矩形に形成された縦リブを、フォーク差し込み口の間口の幅方向及び奥行き方向に、格子状に配置することにより構成されているとともに、フォーク差し込み口の天部が、同じく、垂直断面形状が縦長の矩形に形成された縦リブを、フォーク差し込み口の間口の幅方向及び奥行き方向に、格子状に配置することにより構成されており、且つ、フォーク差し込み口の入口側に配置された前記間口の幅方向の縦リブの複数本を、入口から奥に行くにしたがって、徐々に、その高さが高くなるように構成することにより、フォーク差し込み口の入口側に傾斜面が形成されているとともに、前記奥行き方向の縦リブのフォーク差し込み口の入口側に位置する部分が、前記傾斜面に対応して、傾斜して形成されており、更にまた、フォーク差し込み口の入口側に位置する複数本の間口の幅方向の縦リブの間隔が狭く形成されていることを特徴とする合成樹脂製パレット。
【請求項２】
表面デッキボードと裏面デッキボードとを有し、表面デッキボードと裏面デッキボードとが、隅部に位置する隅桁と該隅桁の中間に位置する中間桁と中央に位置する中央桁とにより連結されている合成樹脂製パレットにおいて、フォーク差し込み口の底部が、垂直断面形状が縦長の矩形に形成された縦リブを、フォーク差し込み口の間口の幅方向及び奥行き方向に、格子状に配置することにより構成されているとともに、フォーク差し込み口の天部が、同じく、垂直断面形状が縦長の矩形に形成された縦リブを、フォーク差し込み口の間口の幅方向及び奥行き方向に、格子状に配置することにより構成されており、且つ、フォーク差し込み口の入口側に配置された前記間口の幅方向の縦リブの複数本を、入口から奥に行くにしたがって、徐々に、その高さが高くなるように構成することにより、フォーク差し込み口の入口側に傾斜面が形成されているとともに、前記奥行き方向の縦リブのフォーク差し込み口の入口側に位置する部分が、前記傾斜面に対応して、傾斜して形成されており、更にまた、桁の側壁とフォーク差し込み口の間口の幅方向の縦リブとの接続部分に位置する縦リブに、肉厚部分が形成されていることを特徴とする合成樹脂製パレット。
【発明の詳細な説明】
【０００１】
【発明の属する技術分野】
本発明は、種々の物品を運搬する際に使用されるフォーク差し込み口を有する合成樹脂製パレットに関するものである。
【０００２】
【従来の技術】
フォーク差し込み方向に沿ったフォーク差し込み口の垂直断面図である図５に示されているように、従来、フォーク差し込み口１の底部１ａを、垂直断面形状がＴ字状のリブ１ａ’で構成し、また、フォーク差し込み口１の天部１ｂを逆Ｔ字状のリブ１ｂ’で構成した合成樹脂製パレットが知られている。
【０００３】
【発明が解決しようとする課題】
水や洗剤、薬品等を含む洗浄水を高圧にて合成樹脂製パレットに噴射して、合成樹脂製パレットを洗浄したり、或いは、合成樹脂製パレットを、水や洗剤、薬品等を含む水槽に浸して洗浄し、その後、自然乾燥や温風等を吹き付けて乾燥することが行われているが、上述した従来の合成樹脂製パレットにおいては、フォーク差し込み口１の底部１ａ及び天部１ｂが、Ｔ字状のリブ１ａ’或いは逆Ｔ字状のリブ１ｂ’で構成されているために、例えば、合成樹脂製パレットの上方から、洗浄液を吹き付けても、Ｔ字状のリブ１ａ’或いは逆Ｔ字状のリブ１ｂ’の水平部分１ａ”、１ｂ”が邪魔して、洗浄液が、合成樹脂製パレットの隅々まで届かず、充分な洗浄ができなかったり、また、温風が隅々まで届かず、乾燥が不十分であったり、乾燥作業に長時間を要する等の問題があった。更に、Ｔ字状のリブ１ａ’或いは逆Ｔ字状のリブ１ｂ’の隅部に、塵や埃等が溜まりやすく、頻繁に洗浄作業を行わなければならなかったり、この部分に雨水等が溜まりやすい等の問題があった。
【０００４】
本発明の目的は、上述した従来の合成樹脂製パレットが有する課題を解決するとともに、金型の単純化を実現することができる合成樹脂製パレットを提供することにある。
【０００５】
【課題を解決するための手段】
本発明は、上述した目的を達成するために、第１には、表面デッキボードと裏面デッキボードとを有し、表面デッキボードと裏面デッキボードとが、隅部に位置する隅桁と該隅桁の中間に位置する中間桁と中央に位置する中央桁とにより連結されている合成樹脂製パレットにおいて、フォーク差し込み口の底部が、垂直断面形状が縦長の矩形に形成された縦リブを、フォーク差し込み口の間口の幅方向及び奥行き方向に、格子状に配置することにより構成されているとともに、フォーク差し込み口の天部が、同じく、垂直断面形状が縦長の矩形に形成された縦リブを、フォーク差し込み口の間口の幅方向及び奥行き方向に、格子状に配置することにより構成されており、且つ、フォーク差し込み口の入口側に配置された前記間口の幅方向の縦リブの複数本を、入口から奥に行くにしたがって、徐々に、その高さが高くなるように構成することにより、フォーク差し込み口の入口側に傾斜面が形成されているとともに、前記奥行き方向の縦リブのフォーク差し込み口の入口側に位置する部分が、前記傾斜面に対応して、傾斜して形成されており、更にまた、フォーク差し込み口の入口側に位置する複数本の間口の幅方向の縦リブの間隔を狭く形成したものであり、第２には、表面デッキボードと裏面デッキボードとを有し、表面デッキボードと裏面デッキボードとが、隅部に位置する隅桁と該隅桁の中間に位置する中間桁と中央に位置する中央桁とにより連結されている合成樹脂製パレットにおいて、フォーク差し込み口の底部が、垂直断面形状が縦長の矩形に形成された縦リブを、フォーク差し込み口の間口の幅方向及び奥行き方向に、格子状に配置することにより構成されているとともに、フォーク差し込み口の天部が、同じく、垂直断面形状が縦長の矩形に形成された縦リブを、フォーク差し込み口の間口の幅方向及び奥行き方向に、格子状に配置することにより構成されており、且つ、フォーク差し込み口の入口側に配置された前記間口の幅方向の縦リブの複数本を、入口から奥に行くにしたがって、徐々に、その高さが高くなるように構成することにより、フォーク差し込み口の入口側に傾斜面が形成されているとともに、前記奥行き方向の縦リブのフォーク差し込み口の入口側に位置する部分が、前記傾斜面に対応して、傾斜して形成されており、更にまた、桁の側壁とフォーク差し込み口の間口の幅方向の縦リブとの接続部分に位置する縦リブに、肉厚部分を形成したものである。
【０００６】
【実施例】
以下に、本発明の合成樹脂製パレットの一部切欠部を含む全体斜視図である図１、本発明の合成樹脂製パレットのフォーク差し込み口の一部切欠部を含む斜視図である図２、本発明の合成樹脂製パレットのフォーク差し込み方向に沿ったフォーク差し込み口の垂直断面図である図３及び本発明の合成樹脂製パレットのフォーク差し込み口の底部の平面図である図４を用いて、本発明の実施例について説明するが、本発明の趣旨を越えない限り何ら、本実施例に限定されるものではない。
【０００７】
Ｐは、各側面に、それぞれ、２個のフォーク差し込み口１０を有する、所謂、４方差しの合成樹脂製パレットであり、合成樹脂製パレットＰは、表面デッキボード１１と裏面デッキボード１２を有している。そして、表面デッキボード１１と裏面デッキボード１２とは、それぞれ、隅部に位置する４つの隅桁１３、隅部１３の中間に位置する４つの中間桁１４及び中央に位置する１つの中央桁１５により連結されている。図１に示されているように、フォーク差し込み口１０は、相対する隅桁１３の側壁１３ａと中間桁１４の側壁１４ａ及びフォーク差し込み口１０の底部１０ａと天部１０ｂとにより、上下面及び左右面の四方が囲まれることにより形成されている。なお、フォーク差し込み口１０の底部１０ａと天部１０ｂとは、図３に示されているように、水平面を挟んで面対称で、略同じ構造を有している。
【０００８】
フォーク差し込み口１０の底部１０ａは、垂直断面形状が縦長の矩形に形成された縦リブ１６を、フォーク差し込み口１０の間口の幅方向及び奥行き方向に格子状に配置して構成されている。なお、フォーク差し込み口１０の間口の幅方向に沿って配置された縦リブ１６を、単に、「幅方向縦リブ」１６ａと称し、また、フォーク差し込み口１０の奥行き方向に沿って配置された縦リブ１６を、単に、「奥行き方向縦リブ」１６ｂと称する。
【０００９】
フォーク差し込み口１０の入口側に配置された幅方向縦リブ１６ａの複数本は、フォーク差し込み口１０の入口から奥に行くにしたがって、徐々に、その高さが高くなるように構成されており、上記の複数本の幅方向縦リブ１６ａにより、底部１０ａには傾斜面１０ａ’が形成されている。本実施例においては、フォーク差し込み口１０の入口側に配置された２本の幅方向縦リブ１６ａ’、１６ａ”が、該２本の幅方向縦リブ１６ａ’、１６ａ”より奥に位置する他の同じ高さを有する幅方向縦リブ１６ａより低くなっており、フォーク差し込み口１０の入口に位置する幅方向縦リブ１６ａ’が、次の幅方向縦リブ１６ａ”より、高さが低くなるように形成され、上記２本の幅方向縦リブ１６ａ’、１６ａ”及び入口から３番目の幅方向縦リブ１６ａにより、傾斜面１０ａ’が形成されている。この傾斜面１０ａ’に対応して、奥行き方向縦リブ１６ｂのフォーク差し込み口１０の入口側に位置する部分１６ｂ’は傾斜して形成されている。
【００１０】
また、フォーク差し込み口１０の入口に位置する幅方向縦リブ１６ａ’と入口から２番目の幅方向縦リブ１６ａ”の間隔及び入口から２番目の幅方向縦リブ１６ａ”と入口から３番目の幅方向縦リブ１６ａとの間隔は、他の幅方向縦リブ１６ａ間の間隔より狭く形成されている。このように、フォーク差し込み口１０の入口側に位置する複数本の幅方向縦リブ１６ａの間隔を狭くすることにより、フォークが当接する頻度の高いフォーク差し込み口１０の入口部分の強度を高めることができる。
【００１１】
更に、図４において点線で示されているように、相対する隅桁１３の側壁１３ａ及び中間桁１４の側壁１４ａに接続された幅方向縦リブ１６ａを肉厚部分１６’に形成することにより、負荷が集中する、隅桁１３の側壁１３ａ及び中間桁１４の側壁１４ａと、幅方向縦リブ１６ａとの接続部分を補強することができる。なお、上記の肉厚部分１６’は、図４に示されているように、隅桁１３の側壁１３ａ及び中間桁１４の側壁１４ａと、幅方向縦リブ１６ａとの接続部分から遠ざかるにしたがって、その肉厚を、徐々に、薄くすることも、また、肉厚部分１６’の肉厚を同じに形成することもできる。
【００１２】
フォーク差し込み口１０の天部１０ｂは、図３に示されているように、水平面を挟んで、底部１０ａと面対称に形成されており、底部１０ａと略同じ構造を有している。即ち、フォーク差し込み口１０の天部１０ｂも、垂直断面形状が縦長の矩形に形成された縦リブ１７を、フォーク差し込み口１０の間口の幅方向及び奥行き方向に格子状に配置して構成されている。そして、フォーク差し込み口１０の入口側に配置された幅方向縦リブ１７ａの複数本が、フォーク差し込み口１０の入口から奥に行くにしたがって、徐々に、その高さが高くなるように構成され、上記の複数本の幅方向縦リブ１７ａにより、天部１０ｂの傾斜面１０ｂ’が形成されている。また、この傾斜面１０ｂ’に対応して、奥行き方向縦リブ１７ｂのフォーク差し込み口１０の入口側に位置する部分は傾斜して形成されている。
【００１３】
更に、上述した、相対する隅桁１３の側壁１３ａ及び中間桁１４の側壁１４ａに接続された幅方向縦リブ１６ａに肉厚な肉厚部分１６’を形成した構成は、天部１０ｂにも適用されている。
【００１４】
なお、上述した実施例においては、各側面に、それぞれ、２個のフォーク差し込む口１０を有する、所謂、４方差しの合成樹脂製パレットＰを、一体成形する例を説明したが、２組の相対する側面のうち、一方の相対する側面にのみ、フォーク差し込み口１０を形成した、所謂、２方差しの合成樹脂製パレットＰに適用することもできるし、また、合成樹脂製パレットＰを上下方向に半分ずつ、それぞれ、別体に成形し、成形された半体のパレットを、桁部分で溶着して形成された合成樹脂製パレットＰに適用することもできる。
【００１５】
本発明は、上述したように、フォーク差し込み口１０の底部１０ａ及び天部１０ｂを、垂直断面形状が縦長の矩形に形成された縦リブ１６、１７を格子状に配置して構成したので、フォーク差し込み口１０の底部１０ａ及び天部１０ｂを、Ｔ字状のリブ１ａ’或いは逆Ｔ字状のリブ１ｂ’で形成した従来の合成樹脂製パレットのように、洗浄性や乾燥性が悪かったり、Ｔ字状のリブ１ａ’或いは逆Ｔ字状のリブ１ｂ’の隅部に、塵や埃等が溜まりやすく、頻繁に洗浄作業を行わなければならなかったり、この部分に雨水等が溜まる等の問題を解決することができる。
【００１６】
また、フォーク差し込み口１０の底部１０ａ及び天部１０ｂを形成するリブを、垂直断面形状が縦長の矩形に形成された縦リブ１６、１７としたので、金型を単純化することができ、金型設計上の種々の制約を取り除くことができる。
【００１７】
更に、フォーク差し込み口１０の入口側に位置する複数本の幅方向縦リブ１６ａ’の間隔を狭くしたので、フォークが当接する頻度の高いフォーク差し込み口１０の入口部分の強度を高めることができる。
【００１８】
更にまた、相対する隅桁１３の側壁１３ａ及び中間桁１４の側壁１４ａに接続された幅方向縦リブ１６ａを肉厚部分１６’に形成することにより、負荷が集中する、隅桁１３の側壁１３ａ及び中間桁１４の側壁１４ａと、幅方向縦リブ１６ａとの接続部分を補強することができる。
【００１９】
【発明の効果】
本発明は、以上説明したように構成されているので、以下に記載する効果を奏することができる。
【００２０】
フォーク差し込み口の底部及び天部を、垂直断面形状が縦長の矩形に形成された縦リブを格子状に配置した構成としたことにより、洗浄性及び乾燥性を向上することができるとともに、塵や埃等の溜まりやすい箇所を減少することができる。
【００２１】
フォーク差し込み口の底部及び天部を形成するリブを、垂直断面形状が縦長の矩形に形成された縦リブとしたので、金型を単純化することができ、金型設計上の種々の制約を取り除くことができる。
【００２２】
フォーク差し込み口の入口側に位置する複数本の幅方向縦リブの間隔を狭くしたので、フォークが当接する頻度の高いフォーク差し込み口の入口部分の強度を高めることができる。
【００２３】
桁に接続された縦リブに、肉厚な肉厚部分を形成することにより、負荷が集中する、桁と縦リブとの接続部分を補強することができる。
【図面の簡単な説明】
【図１】図１は本発明の合成樹脂製パレットの一部切欠部を含む全体斜視図である。
【図２】図２は本発明の合成樹脂製パレットのフォーク差し込み口の一部切欠部を含む斜視図である。
【図３】図３は本発明の合成樹脂製パレットのフォーク差し込み方向に沿ったフォーク差し込み口の垂直断面図である。
【図４】図４は本発明の合成樹脂製パレットのフォーク差し込み口の底部の平面図である。
【図５】図５は従来の合成樹脂製パレットのフォーク差し込み方向に沿ったフォーク差し込み口の垂直断面図である。
【符号の説明】
Ｐ・・・・・・・・合成樹脂製パレット
１０・・・・・・・フォーク差し込み口
１０ａ・・・・・・底部
１０ｂ・・・・・・天部
１１・・・・・・・表面デッキボード
１２・・・・・・・裏面デッキボード
１３・・・・・・・隅桁
１４・・・・・・・中間桁
１５・・・・・・・中央桁
１６、１７・・・・縦リブ
【図１】
0003914594.tif 000002
【図２】
0003914594.tif 000003
【図３】
0003914594.tif 000004
【図４】
0003914594.tif 000005
【図５】
0003914594.tif 000006